(57)【特許請求の範囲】
【請求項１】
表紙部よりも幅方向に延びる大きさを有する、折曲可能なボール紙からなる芯材と、
前記芯材の上端縁および下端縁よりも外方に延びる大きさを有する、折曲可能なシートからなる表面材とを備え、
芯材は、表紙部とほぼ同じ大きさを有する主部と、前記主部の両側縁より幅方向に外方に延びる前記主部とほぼ同じ大きさの副部とを有するものであり、
前記表面材が前記芯材の一方主面に重ねられ、前記芯材の上端縁および下端縁よりも外方に延びた表面材の延長部が、前記芯材の上端縁および下端縁において折り曲げて芯材の他方主面に重ねられ、且つ、前記芯材の上端縁および下端縁と交差する主部と副部の境界線上において、前記芯材および表面材が、ともに、表面材の延長部が重ねられた芯材の他方主面側に折り曲げられるとともに、主部と副部とが重ねられた状態において、芯材の上端縁どおしおよび下端縁どおしがほぼ揃えられて接合され、主部と副部とが接合した部分において接着され、且つ、主部と副部との周縁に沿って主部と副部にまたがって芯材および表面材がともに縫合された、表紙部材。
【請求項２】
表紙部の周縁に沿って、重ね合わされた芯材と表面材とは表面材の延長部とともに縫い合わされている、請求項１に記載の表紙部材。
【請求項３】
表面材は、ポリプロピレン製シートからなる、請求項１または請求項２に記載の表紙部材。
【請求項４】
表紙部よりも幅方向に延びる大きさを有する、折曲可能なボール紙からなる芯材と、前記芯材の上端縁および下端縁よりも外方に延びる大きさを有する、折曲可能なシートからなる表面材とを準備し、
表紙部とほぼ同じ大きさを有する主部と、前記主部の両側縁より幅方向に外方に延びる前記主部とほぼ同じ大きさの副部とを有する、
前記芯材の一方主面に前記表面材を重ね、且つ前記芯材の上端縁および下端縁よりも外方に延びた表面材の延長部を上端縁および下端縁において折り曲げて芯材の他方主面に重ねて表紙素材を形成し、
前記表紙素材の上端縁および下端縁と交差する主部と副部の境界線上において、前記表紙素材を構成する芯材および表面材がともに、表面材の延長部が重ねられた芯材の他方主面側に表紙素材を折り曲げ、重ねられた表紙素材の上端縁どおしおよび下端縁どおしをほぼ揃えて接合し、表紙素材が重ねられた接合部分を接着し、且つ、表紙部の周縁に沿って重ね合わされた表紙素材を芯材および表面材とともに縫合する、表紙部材の製法。
【請求項５】
表紙部の周縁に沿って、重ね合わされた芯材と表面材とを表面材の延長部とともに縫い合わす、請求項４に記載の表紙部材の製法。
【請求項６】
表面材は、ポリプロピレン製シートからなる、請求項４または請求項５に記載の表紙部材の製法。
【発明の詳細な説明】
【０００１】
【発明の属する技術分野】
この発明は、表紙部材およびその製法に関し、特にたとえばリングファイル等の表紙として用いるに好適な表紙部材およびその製法に関する。
【０００２】
【従来の技術】
従来のファイルの表紙は、たとえば比較的厚いボール紙の周囲を前記ボール紙よりも広い面積を有するポリプロピレン製シートでそのボール紙の外周縁に沿って折り曲げボール紙の表面側より裏面側にむけて折り曲げ接着し、さらにボール紙の裏面側に見返し紙を貼着した、いわゆるくるみ貼り表紙と称するものがある。
【０００３】
【発明が解決しようとする課題】
ところが、前記いわゆるくるみ貼りと称する方法によって形成される表紙は、１枚のボール紙をもって表紙を構成するため、耐荷重性，耐摩耗性に乏しい。
【０００４】
それゆえに、この発明の主たる目的は、耐荷重性，耐摩耗性に優れ、外表面が美麗な表紙部材およびその製法を提供することである。
【０００５】
【課題を解決するための手段】
この発明の請求項１にかかる表紙部材は、表紙部よりも幅方向に延びる大きさを有する、折曲可能なボール紙からなる芯材と、前記芯材の上端縁および下端縁よりも外方に延びる大きさを有する、折曲可能なシートからなる表面材とを備え、芯材は、表紙部とほぼ同じ大きさを有する主部と、前記主部の両側縁より幅方向に外方に延びる前記主部とほぼ同じ大きさの副部とを有するものであり、前記表面材が前記芯材の一方主面に重ねられ、前記芯材の上端縁および下端縁よりも外方に延びた表面材の延長部が、前記芯材の上端縁および下端縁において折り曲げて芯材の他方主面に重ねられ、且つ、前記芯材の上端縁および下端縁と交差する主部と副部の境界線上において、前記芯材および表面材が、ともに、表面材の延長部が重ねられた芯材の他方主面側に折り曲げられるとともに、主部と副部とが重ねられた状態において、芯材の上端縁どおしおよび下端縁どおしがほぼ揃えられて接合され、主部と副部とが接合した部分において接着され、且つ、主部と副部との周縁に沿って主部と副部にまたがって芯材および表面材がともに縫合された、表紙部材である。
この発明の請求項２にかかる表紙部材は、表紙部の周縁に沿って、重ね合わされた芯材と表面材とは表面材の延長部とともに縫い合わされている、請求項１に記載の表紙部材である。
この発明の請求項３にかかる表紙部材は、表面材は、ポリプロピレン製シートからなる、請求項１または請求項２に記載の表紙部材である。
この発明の請求項４にかかる表紙部材は、表紙部よりも幅方向に延びる大きさを有する、折曲可能なボール紙からなる芯材と、前記芯材の上端縁および下端縁よりも外方に延びる大きさを有する、折曲可能なシートからなる表面材とを準備し、表紙部とほぼ同じ大きさを有する主部と、前記主部の両側縁より幅方向に外方に延びる前記主部とほぼ同じ大きさの副部とを有する、前記芯材の一方主面に前記表面材を重ね、且つ前記芯材の上端縁および下端縁よりも外方に延びた表面材の延長部を上端縁および下端縁において折り曲げて芯材の他方主面に重ねて表紙素材を形成し、前記表紙素材の上端縁および下端縁と交差する主部と副部の境界線上において、前記表紙素材を構成する芯材および表面材がともに、表面材の延長部が重ねられた芯材の他方主面側に表紙素材を折り曲げ、重ねられた表紙素材の上端縁どおしおよび下端縁どおしをほぼ揃えて接合し、表紙素材が重ねられた接合部分を接着し、且つ、表紙部の周縁に沿って重ね合わされた表紙素材を芯材および表面材とともに縫合する、表紙部材の製法である。
この発明の請求項５にかかる表紙部材は、表紙部の周縁に沿って、重ね合わされた芯材と表面材とを表面材の延長部とともに縫い合わす、請求項４に記載の表紙部材の製法である。
この発明の請求項６にかかる表紙部材は、表面材は、ポリプロピレン製シートからなる、請求項４または請求項５に記載の表紙部材の製法である。
【０００６】
この発明の上述の目的，その他の目的，特徴および利点は、図面を参照して行う以下の発明の実施の形態の詳細な説明から一層明らかとなろう。
【０００７】
【発明の実施の形態】
図１は、この発明の一実施の形態である表紙部材の斜視図解図である。
図２は、図１の線Ａ−Ａにおける断面図である。
この表紙部材１０は、表表紙部１２ａと裏表紙部１２ｂとからなる表紙部１２と、表表紙部１２ａと背表紙部１４との間において表表紙部１２ａと裏表紙部１２ｂとを連結する背表紙部１４とを備え、背表紙部１４の内側表面には公知のリングファイル用リング金具１６が固定される。
【０００８】
表紙部材１０は、表紙部１２よりも幅方向にさらに延びる大きさを有する、折曲可能なシート、たとえばボール紙からなる芯材２０と前記芯材２０の上端縁２２ａおよび下端縁２２ｂよりも外方に延びる大きさを有する、折曲可能なシート、たとえばポリプロピレン製シートからなる表面材３０とを備える。
【０００９】
芯材２０は、表表紙部１２ａおよび裏表紙部１２ｂとほぼ同じ大きさを有する主部２４と前記主部２４よりも幅方向に延びる副部２８とを有し、芯材２０の主部２４と芯材２０の副部２８とはほぼ同じ大きさを有する。
そして、芯材２０は、表紙部１２および背表紙部１４とほぼ同じ大きさを有する主部２４と前記主部２４の両側縁より幅方向に外方に延びる副部２８とを有するものであって、主部２４は、表紙側主部２４ａと背表紙側主部２４ｂとにわかれ、表紙側主部２４ａは表表紙側主部２６ａと裏表紙側主部２６ｂとに区分され、副部２８は、前記主部２４の表紙側主部２４ａ部分の表表紙側主部２６ａとほぼ同じ大きさを有する表表紙側副部２８ａと裏表紙側主部２６ｂとほぼ同じ大きさを有する裏表紙側副部２８ｂとからなる。
【００１０】
前記表面材３０は、前記芯材２０の一方主面（表面）に重ねられ、接着されている。
そして、前記芯材２０の上端縁２２ａおよび下端縁２２ｂよりも外方に延びた表面材３０の延長部３２ａおよび３２ｂが芯材２０の上端縁２２ａおよび下端縁２２ｂ近傍において折り曲げられて芯材２０の他方主面（裏面）に重ねられ、接着されている。
【００１１】
前記芯材２０の上端縁２２ａおよび下端縁２２ｂと交差する仮想線Ｘ−Ｘ上において、すなわち、芯材２０の主部２４と副部２８との境界線上において、前記芯材２０および表面材３０がともに、表面材３０の延長部３２ａおよび３２ｂが重ねられた芯材２０の他方主面（裏面）側に折り曲げられ、表面材３０の延長部３２ａおよび３２ｂが重ねられた芯材２０の上端縁２２ａどおしおよび下端縁２２ｂどおしがほぼ揃えられて、芯材２０の主部２４および副部２８が対向されている。
そして、芯材２０の主部２４および副部２８が対向された部分において、補強シート３４が介装され対向された芯材２０の一方主面（裏面）および表面材３０の延長部３２ａおよび３２ｂが芯材２０の主部２４および副部２８のいずれの裏面側においても対向されて、補強シート３４とともに接着される。
また、重ね合わされた芯材２０と表面材３０とは、表紙部１２の周縁に沿って、延長部３２ａおよび３２ｂとともに縫い合わされている。
なお、補強シート３４を介装しなくてもよい。
【００１２】
次に、表紙部材１０の製法について説明する。
図３ないし図６は、表紙部材１０の製法を説明する斜視図解図である。
表紙部１２を構成する表表紙部１２ａおよび裏表紙部１２ｂよりも幅方向に延びる大きさを有するシート、すなわち表表紙部１２ａの右側方幅方向に延びる、また裏表紙部１２ｂの左側方幅方向に延びる大きさを有する折曲可能なシート、たとえば比較的厚さを有するダンボール紙からなる芯材２０を準備する。
芯材２０は、表紙部１２を構成する表表紙部１２ａおよび裏表紙部１２ｂとほぼ同じ大きさを有する主部２４と前記主部２４よりも幅方向に延びるもので、前記主部２４とほぼ同じ大きさを有する副部２８とを備える。
そして、芯材２０は、表紙部１２および背表紙部１４とほぼ同じ大きさを有する主部２４と前記主部２４の両側縁より幅方向に外方に延びる副部２８とを有するものであって、主部２４は、表紙側主部２４ａと背表紙側主部２４ｂとにわかれ、表紙側主部２４ａは表表紙側主部２６ａと裏表紙側主部２６ｂとに区分され、副部２８は、前記主部２４の表紙側主部２４ａ部分の表表紙側主部２６ａとほぼ同じ大きさを有する表表紙側副部２８ａと裏表紙側主部２６ｂとほぼ同じ大きさを有する裏表紙側副部２８ｂとからなる。
【００１３】
一方、前記芯材２０の上端縁２２ａおよび下端縁２２ｂよりも外方、すなわち、上下方向に芯材２０の幅よりも若干長い幅を有して延びる大きさを有する、折曲可能なシート、たとえばポリプロピレン製シートからなる表面材３０を準備する。
【００１４】
そして、前記表面材３０を前記芯材２０の一方主面に重ねる。すなわち、前記芯材２０の上端縁２２ａおよび下端縁２２ｂよりも外方に延びた表面材３０の延長部３２ａおよび３２ｂがほぼ同一の長さをもって芯材２０の上端縁２２ａおよび下端縁２２ｂよりも外方に延びた状態において載置し、接着する。
そして、芯材２０の上端縁２２ａおよび下端縁２２ｂよりも外方に延びた表面材３０の延長部３２ａおよび３２ｂを芯材２０の上端縁２２ａおよび下端縁２２ｂ近傍において芯材２０の他方主面（裏面）側に折り曲げ、芯材２０の他方主面（裏面）に重ねて接着して、表紙素材４０を形成する。
表紙素材４０は、表紙部１２および背表紙部１４とほぼ同じ大きさを有する主部４４と前記主部４４の両側縁より幅方向に外方に延びる副部４８とを有するものであって、副部４８は、主部４４の表紙側主部４４ａ部分の表表紙側主部４６ａとほぼ同じ大きさを有する表表紙側副部４８ａと裏表紙側主部４６ｂとほぼ同じ大きさを有する裏表紙側副部４８ｂとからなる。
【００１５】
芯材２０の主部２４と副部２８との境界線上、すなわち、表紙素材４０の上端縁４２ａおよび下端縁４２ｂと交差する仮想線Ｘ−Ｘ線上において、芯材２０の折り曲げを容易にするために、表面から裏面に向けて芯材２０を凹ませるヒンジ加工を施す。
また、表紙部１２と背表紙部１４との境界線上、すなわち、表紙素材４０の上端縁４２ａおよび下端縁４２ｂと交差する仮想線Ｙ−Ｙ線上において、芯材２０の折り曲げを容易にするために、表面から裏面に向けて芯材２０を凹ませるヒンジ加工を施す。
【００１６】
前記表紙素材４０の上端縁４２ａおよび下端縁４２ｂと交差する仮想線Ｘ−Ｘ線上、すなわち芯材２０の主部２４と芯材２０の副部２８の境界線上において、前記表紙素材４０を構成する芯材２０および表面材３０をともに、表面材３０の延長部３２ａおよび３２ｂが重ねられた芯材２０の他方主面（裏面）側に折り曲げられ、重ねられた表紙素材４０の上端縁４２ａおよび下端縁４２ｂどおしをほぼ揃えて対向させる。
【００１７】
そして、表紙素材４０が、芯材２０の主部２４および芯材２０の副部２８に対応する主部４４および副部４８の境界線上において折り曲げられ、対向する主部４４と副部４８との間に補強シート３４を介装し、重ね合わされた接合部分を適宜接着剤で接着する。
そして、表紙素材４０の主部４４および副部４８を重ね合わせてなる表紙部１２、すなわち表表紙部１２ａおよび裏表紙部１２ｂのそれぞれの周縁に沿って、重ね合わされた表紙素材４０が、芯材２０と表面材３０（重ね合わされた延長部３２ａおよび３２ｂを含む）とがともに適宜な糸をもって縫い合わされる。
【００１８】
その後、適宜背表紙部１４にリング金具１６を取り付ける。
【００１９】
【発明の効果】
この発明によれば、表面材が芯材の一方主面に重ねられ、芯材の上端縁および下端縁よりも外方に延びた表面材の延長部が上端縁および下端縁において折り曲げて芯材の他方主面に重ねられるとともに、芯材の上端縁および下端縁と交差する線上において、前記芯材および表面材がともに、表面材の延長部が重ねられた芯材の他方主面側に折り曲げられ、重ねられた芯材の上端縁どおしおよび下端縁どおしがほぼ揃えられて、接着され且つ縫合されて表紙を構成するので、表紙の外周縁のすべてにおいて表面材で芯材が覆われ、それゆえに芯材が摩耗することなく耐摩耗性を有し、表紙を構成する表表紙および裏表紙のいずれも芯材が二重に備えられるので、耐荷重性も増し、耐久性を有する表紙部材となる。
この発明にかかる表紙部材の製法によれば、表面材を芯材の一方主面に重ね、芯材の上端縁および下端縁よりも外方に延びた表面材の延長部を上端縁および下端縁において折り曲げて芯材の他方主面に重ねて表紙素材を形成し、前記表紙素材の上端縁および下端縁と交差する線上において、前記表紙素材を構成する芯材および表面材がともに、表面材の延長部を重ねられた芯材の他方主面側に表紙素材が折り曲げられ、重ねられた表紙素材の上端縁どおしおよび下端縁どおしがほぼ揃えて、接着し且つ縫合して製造することができるので、表紙の外周縁のすべてにおいて表面材が存在し、芯材を棄損することなく耐摩耗性に優れ、且つ表紙部には芯材が二重に存在する表紙部材を、工程数をそれほど増加させることなく、比較的容易に表紙部材を製造することができる。
【図面の簡単な説明】
【図１】この発明の一実施の形態である表紙部材の斜視図解図である。
【図２】図１の線Ａ−Ａにおける断面図である。
【図３】表紙部材の製法を説明する斜視図解図である。
【図４】表紙部材の製法を説明する斜視図解図である。
【図５】表紙部材の製法を説明する斜視図解図である。
【図６】表紙部材の製法を説明する斜視図解図である。
【符号の説明】
１０  表紙部材
１２ａ  表表紙部
１２ｂ  裏表紙部
１２  表紙部
１４  背表紙部
１６  リング金具
２０  芯材
２２ａ  芯材の上端縁
２２ｂ  芯材の下端縁
２４  主部
２８  副部
２４ａ  表紙側主部
２４ｂ  背表紙側主部
２６ａ  表表紙側主部
２６ｂ  裏表紙側主部
２８ａ  表表紙側副部
２８ｂ  裏表紙側副部
３０  表面材
３２ａ，３２ｂ  延長部
３４  補強シート
４０  表紙素材
４２ａ  表紙素材の上端縁
４２ｂ  表紙素材の下端縁
４４  主部
４８  副部
４４ａ  表紙側主部
４４ｂ  背表紙側主部
４６ａ  表表紙側主部
４６ｂ  裏表紙側主部
４８ａ  表表紙側副部
４８ｂ  裏表紙側副部
【図１】
0003669486.tif 000002
【図２】
0003669486.tif 000003
【図３】
0003669486.tif 000004
【図４】
0003669486.tif 000005
【図５】
0003669486.tif 000006
【図６】
0003669486.tif 000007